(57)【特許請求の範囲】
【請求項１】
自己の本来の形状を弾性的に復元、保持するリング部材自体を半径方向内側にＵ字を描くように屈曲させることによって形成される半径方向外側に開口する複数のＵ字形を呈する係止凹部からなる係止部を円周方向に沿って配置したリング部材と、
弾性を有する棒体または紐体であって、前記リング部材に形成された係止部の係止凹部内に圧入可能で、且つ前記係止凹部内に圧接状態で保持される太さを有する複数の弾性を有する棒体または紐体からなる細長い連結部材と、
前記各連結部材の先部に止着される複数の掛止部材とからなることを特徴とする手術用補助具。
【発明の詳細な説明】
【０００１】
【産業上の利用分野】
本発明は、主として人体の手術または治療の際に、患部を開放または開口状態に保持しておくための手術用補助具に関するものであり、例えば、眼科治療または手術において上下瞼を開いた状態に保持するための開瞼器または、切開した皮膚や、膜などを開いた状態に保持するための開創器などとして用いられるものである。
【０００２】
【従来の技術】
従来、眼科の治療または手術において上下瞼を開いた状態に保持しておくために開瞼器が用いられている。
【０００３】
そして、従来知られている開瞼器として、例えば挟みばねの両遊端に上下瞼への掛止部をそれぞれ設け、弾性力により拡開力を発揮させるもの、テレスコープ式の伸縮ロッドの両端から直角方向に平行な２本のアームを突出させ、両アームの先端に瞼への掛止部を設け、伸縮ロッドの伸縮により両掛止部の開隔を微調節可能としたものなどが知られている。
【０００４】
ところが、前記従来の開瞼器は瞼への掛止部とその支持部とが近接して配置されているとともに、実質的に剛直な一体構造とされている。
【０００５】
そのため、手術の際などに支持部が邪魔となり、また支持部に圧力や衝撃が加えられると、そのままの大きさおよび方向の力が掛止部に加えられることになる。
【０００６】
従って、使用中に手術用具や手などが支持部に接触すると掛止部が瞼から外れたり、眼球などを不当に押圧して患者に不快感や苦痛を与え、更には患部を損傷させるという心配もある。
【０００７】
また、開瞼器および開創器として、掛止部材に連結した紐体を、例えば手術用の覆布に固定クリップなどを介して係止させるものが従来から用いられている。
【０００８】
ところが、このような構成の開瞼器および開創器は支持位置が安定せず、覆布がずれた場合などには所定の開瞼または開創状態を維持することができない、という問題がある。
【０００９】
【発明が解決しようとする課題】
本発明が解決しようとする課題は、開瞼および開創作用が確実であることは云うまでもなく、手術などの邪魔になることがないとともに支持部に加わる圧力や衝撃が掛止部に伝わることがなく、安定した状態で開瞼器または開創器として使用することができる手術用補助具を提供することを目的とする。
【００１０】
【課題を解決するための手段】
前記課題を解決するため、本発明である手術用補助具は、自己の本来の形状を弾性的に復元、保持するリング部材自体を半径方向内側にＵ字を描くように屈曲させることによって形成される半径方向外側に開口する複数のＵ字形を呈する係止凹部からなる係止部を円周方向に沿って配置したリング部材と、弾性を有する棒体または紐体であって、前記リング部材に形成された係止部の係止凹部内に圧入可能で、且つ前記係止凹部内に圧接状態で保持される太さを有する複数の弾性を有する棒体または紐体からなる細長い連結部材と、前記各連結部材の先端に止着される複数の掛止部材とからなることを特徴とする。
【００１１】
【作用】
リング部材に形成されている係止部の幾つかまたは全部に、連結部材をそれぞれ任意の位置において係止するとともに、各連結部材の先部に止着されている掛止部材を上下瞼または切開創の適当な位置に掛止することにより上下瞼または切開創が開いた状態に保持される。
【００１２】
殊に、上下瞼の開瞼度、或いは切開創の開口度は連結部材における係止部から掛止部材までの長さによって決定され、その長さが短かくなるほど大きく開放また開口することになり、連結部材はその全長に亘る任意の位置でリング部材に形成された係止部に係止可能であり、容易且つ自由に開瞼度或いは開口度を調節することができる。
【００１３】
また、前記のようにして開瞼または開創状態で治療または手術を行なっているとき、リング部材または連結部材に不用意に手術具または手などが触れて圧力や衝撃が加わったとき、それらの圧力や衝撃はリング部材または連結部材の少なくとも一方の弾性によって吸収され、掛止部材に伝わることがなく、掛止部の外れを防止し、また、眼球や切創部に不当な圧力や衝撃が加わるのを防止する。
【００１４】
【実施例】
次に、本発明の実施例を図面を参照しながら説明する。
【００１５】
図面は、開瞼器として使用する場合の本発明の一実施例を示すものであり、基本的にリング部１と、複数の連結部材２と、連結部材の先部に止着される瞼への掛止部材３とから構成される。
【００１６】
そして、リング部材１は、ステンレス鋼製の線材により全体が無端の所定径を有するリング状に成型され、その円周に沿って等間隔位置に複数（本実施例では８個）の係止部１１が設けられている。
【００１７】
これらの係止部１１は、リング部材１を形成する線材自体を所定ピッチで半径方向内側にＵ字形に屈曲若しくは湾曲させることにより、リング部材１と一体に形成されている。
【００１８】
Ｕ字形の係止部１１は、リング部材１の外周側端で互いに向き合う線材１３、１４同士が外側に向けた係止凹部１５を形成している。
【００１９】
また、連結部材２は、シリコンゴム等の弾性および伸縮性を有する適宜長さの棒体または紐体からなり、リング部材１に形成されている係止凹部１５の内径Ｄよりも若干大きい径を有している。
【００２０】
更に、掛止部材３は、従来の開瞼器に用いられているものと基本的に同一の形状を有するものであり、例えば、舟形の本体３１の一部に連結部材２への接続部３２を有している。
【００２１】
以上の構成を有する本実施例は、リング部材１の係止部１１の少なくとも対向する２ヶ所に、先部に掛止部３を例えば縛り付けて止着させた連結部材２を係止凹部１５から圧入することにより係止部１１に不動にそれぞれ係止させる。
【００２２】
このとき、連結部材２の係止部材１１への係止位置は、各連結部材２の先部に止着されている掛止部材を結んだ曲線Ｒが所望の開瞼であるように、任意に且つ簡単に調節することができる。
【００２３】
そして、前述のようにして組立てられた本実施例は、リング部材１の中心が瞼の中心となるようにして顔に載せ、各掛止部材３を従来の開瞼器と同様に上瞼４１および下瞼４２にそれぞれ掛止する。
【００２４】
本実施例では、上瞼４１および下瞼４２の縁に、それぞれ１個ずつの掛止部材３を掛止する。
【００２５】
このとき、各連結部材２は、上瞼４１および下瞼４２が所定の開度を以て開放するように予め係止部１１への係止位置を定めて係止されている。
【００２６】
従って、各掛止部３を上瞼４１および下瞼４２に掛けるだけで眼球を所望の範囲に亙って患部を露出させることができるものである。
【００２７】
勿論、掛止時に連結部材２の係止位置を変更、修正することは可能であり、この場合にも本実施例は連結部材２を係止部１１の係止凹部１５への圧接力よりも大きな力で引張れば簡単に取外せることができ、また再係止も前述の如く容易である。
【００２８】
このように本実施例は、従来のねじを用いるような形式の開瞼器に比べてきわめて簡単に使用することができ、また、従来のばね式や覆布に係止する形式の開瞼器に比べて確実、且つ安定した開瞼が可能である。
【００２９】
また、本実施例は従来の開瞼器のように瞼の近くに支持部が存在するというようなことがなく、手術などの邪魔になる心配もない。
【００３０】
そして、治療または手術中に、術者や介助者が誤ってリング部材１或いは連結部材２などに触れて圧力や衝撃が加わったとしても、それらの圧力や衝撃は連結部材２の弾性、リング部材１の弾性などにより吸収されて掛止部材３にまで伝わることがない。
【００３１】
そのため、掛止部材３が上瞼４１や下瞼４２から外れたり、眼球などに不当な圧力や衝撃が加わって損傷するなどの心配もない。
【００３２】
また、図４は本発明を例えば涙嚢の手術において開創器として用いた場合の実施例を示すものであり、このように本発明は開創器として使用することができ、更にリング部材１の大きさや掛止部材３の形状などを変化させることにより他の身体部位における開創器としても用いることができ、これらの場合にも前記実施と同様の作用・効果を奏することは云うまでもない。
【００３３】
また、前記本実施例は連結部材２のリング部材１への係止手段を圧入式とすることにより、きわめて簡単且つ迅速に着脱可能としたが、連結部材と係止は例えば縛り付けるなど、他の手段を用いてもよいことは勿論である。
【００３４】
【発明の効果】
以上のように、本発明は予め連結部材の長さを調節して係止させたリング部材を患部に載置し、掛止部材を瞼や開創端部に掛止めるだけで簡単な操作で済み、リング部材のほぼ全体が支持部となることからきわめて確実且つ安定した状態で開瞼、開創状態を維持することができるものである。
【００３５】
また、従来のもののように患部の近くに支持部などの手術などの邪魔になるようなものがなく、治療や手術が行ないやすい。
【００３６】
更に、本発明は顔面または身体の表面に軽量なリング部材を載置するだけでよく、患者に苦痛や疲労を与える心配もない。
【００３７】
加えて、治療や手術中にリング部材や連結部材に触れて圧力や衝撃が加わったとしても、弾性さらには伸縮性を有する連結部材によって吸収されて掛止部材にまで伝わることがない。
【００３８】
そのため、掛止部材が瞼や開創部端から外れたり、眼球や開創部などの患部に圧力や衝撃が加わる心配もない。
【００３９】
殊に、本発明はリング部材、連結部材および掛止部材をそれぞれ別体に形成することが可能であり、リング部材の太さや大きさならびに形状、連結部材の長さや伸縮度、および掛止部材の種類などを適宜選択して使用することにより、例えば開瞼器や開創器など種々の用途に用いることができるばかりか、例えば一つの部品が劣化、或いは損傷した場合にも全体でなく一部を補充すればよく、経済的にも優れている。
【００４０】
更にまた、リング部材における係止部をリング部材自体を半径方向内側に小円を描くようにＵ字形に湾曲させることによって、半径方向外側に開口する係止凹部により形成した構成とした場合には、連結部材の基部を所定の係止位置に確実に連結させることができる。
【００４１】
そして、前記外側に開口した係止凹部を有する係止部を有するリング部材と、弾性を有する棒体または紐体であって、リング部材に形成された係止凹部内に開口部から圧入可能で、且つ係止凹部内に圧接状態で保持される太さを有する構成の連結部材とからなる構成とした場合には、連結部材の任意の位置を、係止部の隘路に圧入するだけの簡単な操作で連結部材を係止部に係止可能であり、きわめて容易に所望長さの連結部材を形成することができる。
【００４２】
同時に、連結部材を弾力係止力以上の力で引張ることで係止部との係止が容易に解除されるため、連結部材の取外しが容易であり、開瞼度或いは開口度を簡単に調節することもできる。
【図面の簡単な説明】
【図１】  本発明の一実施例を示す一部を拡大した斜視図である。
【図２】  図１に示した実施例の使用状態を示す説明図である。
【図３】  本発明におけるリング部材の異なる実施例を示す斜視図である。
【図４】  本発明の異なる使用状態を示す説明図である。
【符号の説明】
１  リング部材
２  連結部材
３  掛止部材
１１  係止部
１５  係止凹部
【図１】
0003682626.tif 000002
【図２】
0003682626.tif 000003
【図３】
0003682626.tif 000004
【図４】
0003682626.tif 000005